(57)【要約】【課題】複数の加熱範囲の温度制御を小型かつ安価なコントローラで実施することを目的とする。【解決手段】複数の加熱範囲を備えた本体１１０と、加熱範囲ごとに設置された複数の加熱手段１２２ａと、加熱範囲ごとの温度を検知する温度検知手段１２２ｂと、温度検知手段１２２ｂの温度検知情報に基づき加熱手段１２２ａを制御する制御部２３０と、加熱範囲を選択的に切替える面切替手段２１３と、加熱範囲の主設定温度を設定する温度設定手段２１１と、制御部２３０に内蔵され、主設定温度と異なる副設定温度との温度差を記憶する記憶手段２３１と、加熱範囲の制御に使用する設定温度として、主設定温度と副設定温度のいずれかを選択する温度選択手段２１２とを備えることにより、１個の温度設定手段と１個の温度選択手段により、複数の加熱範囲を異なる温度に設定することが可能となり、コントローラを小型かつ安価で提供することができる。【選択図】図３
2015215128.tif 000002
【特許請求の範囲】
【請求項１】
複数の加熱範囲を備えた本体と、
前記本体に内蔵され、前記加熱範囲ごとに設置された複数の加熱手段と、
前記本体に内蔵され、前記加熱範囲ごとの温度を検知する温度検知手段と、
前記温度検知手段の温度検知情報に基づき前記加熱手段を制御する制御部と、
前記加熱範囲を選択的に切替える面切替手段と、
前記加熱範囲の主設定温度を設定する温度設定手段と、
前記制御部に内蔵され、前記主設定温度とは別の副設定温度の温度データを記憶する記憶手段と、
前記加熱範囲の制御に使用する設定温度として、前記主設定温度と前記副設定温度のいずれかを選択する温度選択手段と、を備えた、
電気採暖具。
【請求項２】
前記主設定温度と前記副設定温度との温度差は、前記温度設定手段と、前記温度選択手段の操作により変更可能な構成の、
電気採暖具。
【請求項３】
前記記憶手段は不揮発メモリーである、
請求項１または２に記載の電気採暖具。
【発明の詳細な説明】
【技術分野】
【０００１】
本発明は、電気採暖具のコントローラの温度設定の方法に関するものである。
【背景技術】
【０００２】
従来、この種の電気採暖具は、複数に加熱範囲が分割されており、コントローラは通電の切替および温度設定を行う操作手段をそれぞれの加熱範囲ごとに備えており、使用者がコントローラのそれぞれの操作手段を操作することにより、加熱範囲の切替えおよび加熱範囲ごとの温度設定が実施できるようになっている（例えば、特許文献１参照）。
【０００３】
図５は、特許文献１に記載された従来の電気採暖具のコントローラを示すものであり、コントローラ１には、電気採暖具の全体の電源を「入」、「切」する主電源スイッチ２と、加熱範囲ごとに通電の「入」、「切」および温度設定を行う２個のスライドつまみ３、４を備えている。
【先行技術文献】
【特許文献】
【０００４】
【特許文献１】特許第４５９４２７９号公報
【発明の概要】
【発明が解決しようとする課題】
【０００５】
しかしながら、前記従来の構成では、加熱範囲ごとに対応するスライドつまみを設けることが必須であり、特に温度調整機能に一般的に使用されるスライドボリュウムを使用した場合、コントローラが大型化するため、加熱範囲の分割数が制約され、一般的には２面の分割に限られている。また、加熱範囲ごとのスライドボリュームとつまみが必要であり、部材コストの面でも検討の余地があった。
【０００６】
本発明は従来の課題を解決するもので、１個の加熱範囲切替え手段と温度設定手段により、複数の加熱範囲の温度設定を簡単に実施できる小型で低コストの電気採暖具のコントローラを提供することを目的とする。
【課題を解決するための手段】
【０００７】
前記従来の課題を解決するために、本発明の電気採暖具は、複数の加熱範囲を備えた本体と、本体に内蔵され、加熱範囲ごとに設置された複数の加熱手段と、本体に内蔵され、加熱範囲ごとの温度を検知する温度検知手段と、温度検知手段の温度検知情報に基づき加熱手段を制御する制御部と、加熱範囲を選択的に切替える面切替手段と、加熱範囲の主設定温度を設定する温度設定手段と、制御部に内蔵され、主設定温度とは別の副設定温度の温度データを記憶する記憶手段と、加熱範囲の制御に使用する設定温度として、主設定温度と副設定温度のいずれかを選択する温度選択手段とを備えたものである。
【０００８】
これにより、１個の温度設定手段と１個の温度選択手段により、複数の加熱範囲を異なる温度に設定することが可能となり、特に温度設定手段を１個に限定することでコントローラを小型かつ安価で提供することができる。
【発明の効果】
【０００９】
本発明の電気採暖具は、複数の加熱範囲の温度制御を小型かつ安価なコントローラで実施することができる。
【図面の簡単な説明】
【００１０】
【図１】本発明の実施の形態１における電気採暖具の外観斜視図
【図２】本発明の実施の形態１における本体のヒータ線の配置状態を示す模式図
【図３】本発明の実施の形態１における電気採暖具の制御回路を示すブロック図
【図４】本発明の実施の形態１におけるコントローラの外観を示す平面図
【図５】従来の電気採暖具のコントローラ外観を示す平面図
【発明を実施するための形態】
【００１１】
第１の発明は、複数の加熱範囲を備えた本体と、前記本体に内蔵され、前記加熱範囲ごとに設置された複数の加熱手段と、前記本体に内蔵され、前記加熱範囲ごとの温度を検知する温度検知手段と、前記温度検知手段の温度検知情報に基づき前記加熱手段を制御する制御部と、前記加熱範囲を選択的に切替える面切替手段と、前記加熱範囲の主設定温度を設定する温度設定手段と、前記制御部に内蔵され、前記主設定温度とは別の副設定温度の温度データを記憶する記憶手段と、前記加熱範囲の制御に使用する設定温度として、前記主設定温度と前記副設定温度のいずれかを選択する温度選択手段とを備えた電気採暖具である。
【００１２】
これにより、１個の温度設定手段と１個の温度選択手段により、複数の加熱範囲を異なる温度に設定することが可能となり、特に温度設定手段を１個に限定することでコントローラを小型かつ安価で提供することができる。
【００１３】
第２の発明は、特に第１の発明において、前記主設定温度と前記副設定温度との温度差は、前記温度設定手段と、前記温度選択手段の操作により変更可能な構成としたものである。
【００１４】
これにより、複数の加熱範囲は広い範囲の任意の設定温度に設定することが可能となり、使い勝手を向上することができる。
【００１５】
第３の発明は、第１または第２の発明におい、前記記憶手段は不揮発メモリーで構成されたものである。
【００１６】
これにより、選択された設定温度および設定された温度差は不揮発メモリーに記憶させることが可能となり、電気採暖具の電源を切断しても、次回の使用時も同じ温度設定が再現されるため、使い勝手をより向上することができる。
【００１７】
以下、本発明の実施の形態について、図面を参照しながら説明する。なお、この実施の形態によって本発明が限定されるものではない。
【００１８】
（実施の形態１）
＜１＞電気採暖具の構成
図１は、本発明の実施の形態１における電気採暖具の外観斜視図であり、図２は、電気採暖具の本体のヒータ線の配置状態を示す模式図であり、図３は、電気採暖具の制御回路を示すブロック図であり、図４は電気採暖具のコントローラの外観を示す平面図である。
【００１９】
図１に示すように、電気採暖具１００は複数のシート状の部材で構成した略長方形の本体１１０の角部にコントローラ２００が配設されており、コントローラの右側面には電気採暖具１００に電源を供給する電源コード２０１が接続されている。コントローラ２００に接続した電源コード２０１で電力を供給することにより本体１１０を発熱させ、住宅の床面に設置して使用する採暖具である。
【００２０】
電気採暖具１００の本体１１０は、表面材１１１とヒータユニット１２０と断熱シート（図示せず）と裏面材（図示せず）等のシート状の構成部材を積層した積層体で構成されている。
【００２１】
ヒータユニット１２０は、電気採暖具１００の発熱源であり、アルミニュームを主成分とする均熱シート（図示せず）の片面に図２に示すように、ヒータ線１２１を蛇行形状に配設して接着固定したものである。
【００２２】
均熱シートは、ヒータ線で発熱した熱を本体１１０全面に均一に拡散する目的の部材であり、熱伝導率が高い金属シートであるアルミニュームを主成分とする厚さ約０．０１ｍｍのアルミシートである。
【００２３】
ヒータ線１２１は図１および図２に示すように、第一加熱範囲Ａと第二加熱範囲Ｂの２つの加熱範囲に分かれて配置されており、それぞれ本体１１０の約１／２の面積を加熱する。
【００２４】
ヒータ線１２１は、中心のガラス繊維（図示せず）の周囲に温度を検知する温度検知線（図示せず）を螺旋状に巻回し、その外周にナイロン樹脂で絶縁層（図示せず）を形成し、絶縁層の外周に発熱線（図示せず）を螺旋状に巻回し、その外周にＰＶＣの絶縁層（図示せず）を形成し、絶縁層の外周にポリエチレン樹脂による接着層（図示せず）を形成したものである。
【００２５】
図２に示すように、第一加熱範囲Ａを加熱する第一ヒータ線１２２は、第一発熱線１２２ａと第一温度検知線１２２ｂを備えており、第二加熱範囲Ｂを加熱する第二ヒータ線１２３は第二発熱線１２３ａと第二温度検知線１２３ｂを備えている。
【００２６】
２つの加熱範囲は選択可能であり、両方の加熱範囲の加熱と、どちらか一方の加熱範囲のみの加熱をコントローラ２００により選択的に操作することができる。
【００２７】
本体１１０の角部に設置したコントローラ２００にはヒータユニット１２０のそれぞれの発熱線と温度検知線が個別に接続されおり、コントローラ２００より発熱線へ電力が供給されるとともに、コントローラ２００で温度検知線の抵抗変化を検知することにより本体１１０の温度変化が検知できる構成となっている。
【００２８】
＜２＞コントローラの構成
図４は電気採暖具のコントローラの外観を示す斜視図である。
【００２９】
図４に示すように、コントローラ２００には複数のスイッチと表示灯が配置されており、コントローラ２００の上縁部には、電気採暖具の電源を「入」、「切」の操作を行う電源スイッチ２１０と、コントローラ２００の内部に設置されたスライド抵抗（図示せず）を操作つまみで使用者が操作することにより使用中の本体１１０の表面温度を任意に設定する温度設定手段２１１が設置されている。
【００３０】
なお、本実施の形態においては、温度設定手段２１１により設定される温度を「主設定温度」と称する。また、本実施の形態のコントローラ２００には「主設定温度」とは別の設定温度である「副設定温度」が制御部２３０に記憶されている。
【００３１】
コントローラ２００の上面中央には、温度設定手段２１１により設定された主設定温度より低い温度で制御部２３０に記憶されている副設定温度に設定を変更する温度選択スイッチ２１２と、加熱範囲を切替える面切替スイッチ２１３が設置されている。
【００３２】
コントローラ２００の上面右側には、通電を自動的に停止するタイマースイッチ２１４と、室温に応じて電気採暖具１００の表面温度を自動的に下げることにより省エネルギを図る省エネモードを選択する省エネスイッチ２１５が設置されている。
【００３３】
面切替スイッチ２１３とタイマースイッチ２１４と省エネスイッチ２１５はいずれもプッシュスイッチで構成されており、コントローラ２００の上面をプッシュすることにより操作することができるものである。
【００３４】
また、面切替スイッチ２１３の近傍には、選択された加熱範囲を表示するＬＥＤの面切替表示灯２２０が設置されており、面切替表示灯２２０は第一加熱範囲Ａに対応する第一面表示灯２２１と、第二加熱範囲Ｂに対応する第二面表示灯２２２の２個が設置されている。
【００３５】
面切替表示灯２２０は電源スイッチ２１０が「切」の状態で消灯し、「入」の状態で点灯する。第一加熱範囲Ａのみが選択されている場合は、第一面表示灯２２１のみが点灯し、第二加熱範囲Ｂのみが選択されている場合は、第二面表示灯２２２のみが点灯し、両方の加熱範囲が選択されている場合は、第一面表示灯２２１と第二面表示灯２２２の両方が点灯する。
【００３６】
また、選択されている加熱範囲の温度設定が主設定温度の設定の場合は赤色で点灯し、温度選択スイッチ２１２で副設定温度が設定されている場合は緑色で点灯する。
【００３７】
また、タイマースイッチ２１４の近傍には、選択されたタイマーの切時間を表示するタイマー表示灯２２３が設置されており、タイマー表示灯２２３は２時間後の切時間を表示する２時間タイマー表示灯２２４と、４時間後の切時間を表示する４時間タイマー表示灯２２５が設置されている。
【００３８】
また、省エネスイッチ２１５の近傍には、省エネモードの選択を表示する省エネ表示灯２２６が設置されている。
【００３９】
図３に示すように、コントローラ２００の内部には、ヒータユニット１２０を制御する各種機能部材が配置されており、電源スイッチ２１０の直下には受電した１００Ｖの交流電流を１２Ｖの直流電流に変換する電源部２４０が接続され、変換された直流電流は制御部２３０へ供給される。
【００４０】
制御部２３０は、不揮発メモリー２３１搭載のマイクロコンピュータを主構成部材とするものである。
【００４１】
ヒータユニット１２０を直接制御する機能としては、発熱線に電力を供給するヒータ駆動部と、温度検知線の抵抗変化を検知する温度検知部を備えており、これらの機能は第一ヒータ線１２２と第二ヒータ線１２３に個別に対応して設けられている。第一ヒータ線１２２に対応する機能として第一ヒータ駆動部２５０と第一温度検知部２６０が設置されており、第二ヒータ線１２３に対応する機能として第二ヒータ駆動部２５１と第二温度検知部２６１が設置されている。
【００４２】
制御部２３０が備える第１の温度制御機能としては、温度設定手段２１１と、温度選択スイッチ２１２と、面切替スイッチ２１３と、タイマースイッチ２１４と、省エネスイッチ２１５と、室温センサ（図示せず）と、第一温度検知部２６０と、第二温度検知部２６１との入力情報により、第一ヒータ駆動部２５０と第二温度検知部２６１を駆動して、本
体１１０の表面温度を主設定温度に昇温および維持する制御機能である。
【００４３】
また、第２の温度制御機能は、主設定温度のデータと制御部２３０の不揮発メモリー２３１に記憶された温度差データとを演算して主設定温度より所定温度差のある副設定温度で本体の表面温度を制御する機能である。本実施の形態の電気採暖具１００の初期値では温度差データはマイナス３度に設定されている。すなわち、副設定温度は主設定温度より３度低い設定温度となっている。
【００４４】
なお、温度差データはコントローラ２００の温度選択スイッチに２１２の特殊な操作により変更することができ、詳細は後述する。
【００４５】
＜３＞コントローラの操作および作用
電気採暖具１００を標準的な状態で使用する場合は、まず電源スイッチ２１０を「入」に操作すると、第一面表示灯２２１と第二面表示灯２２２の両方が赤色で点灯し、制御部２３０は第一ヒータ駆動部２５０と第二ヒータ駆動部２５１の駆動を開始して、第一発熱線１２２ａと第二発熱線１２３ａに通電を開始する。
【００４６】
電気採暖具１００の本体１１０の昇温状態は第一温度検知線１２２ｂと第二温度検知線１２３ｂの抵抗変化を第一温度検知部２６０と第二温度検知部２６１検知して第一ヒータ駆動部２５０と第二ヒータ駆動部２５１を制御することにより設定された主設定温度まで昇温し維持する。
【００４７】
本実施の形態における電気採暖具１００は通電を開始して８時間が経過すると自動的に発熱線への通電を停止するとともに、面切替表示灯２２０を点滅表示させる構成となっており、切り忘れによる電気の無駄な消費を抑制する機能を備えている。
【００４８】
使用中に、タイマースイッチ２１４をプッシュ操作することにより、通電開始後２時間および４時間が経過した時点で通電を停止する切タイマー機能を使用することができる。タイマースイッチ２１４を１回プッシュすると２時間の切タイマーの設定ができ、２時間タイマー表示灯２２４が点灯する。次にタイマースイッチ２１４をもう１回プッシュすると４時間の切タイマーの設定ができ、４時間タイマー表示灯２２５が点灯する。更にタイマースイッチ２１４をもう１回プッシュすると切タイマー設定が解除され、両方の表示灯が消灯する。
【００４９】
また、使用中に省エネスイッチ２１５をプッシュ操作することにより、電気採暖具１００の本体１１０の温度を主設定温度より低い温度に維持する省エネモードで稼働させることができる。省エネスイッチ２１５を１回プッシュすることにより省エネモードが設定されるとともに、省エネ表示灯２２６が点灯する。次に省エネスイッチ２１５を再度プッシュすると、省エネモードは解除され、省エネ表示灯は消灯する。
【００５０】
使用中に主設定温度を変更したい場合は、温度設定手段２１１を操作することにより、設定温度を任意に変更することができる。通常の使用においては、本体１１０の表面温度が約４５℃〜２５℃の範囲で連続的に任意に変更することが可能であり、目盛「高」で約４５℃、目盛「中」で約３７℃、目盛「低」で約２５℃に設定できる。
【００５１】
また、電気採暖具に寄生したダニを退治したい場合には、温度設定手段２１１とダニ対策レベルに設定することにより、本体１１０の温度が高温になりダニを駆除することができる。
【００５２】
また、使用中に加熱範囲を切替える場合は、面切替スイッチ２１３をプッシュ操作する
ことにより、加熱範囲を切替えることができる。面切替スイッチ２１３を１回プッシュすると第一加熱範囲Ａのみの通電となるとともに、第一面表示灯２２１のみが点灯することにより選択した加熱範囲を視認することができる。次に面切替スイッチ２１３をもう１回プッシュすると第二加熱範囲Ｂのみの通電となるとともに、第一面表示灯２２１のみが点灯する。次に面切替スイッチ２１３をもう１回プッシュすると、両方の加熱範囲が通電される状態となり、第一面表示灯２２１と第一面表示灯２２１の両方が点灯する。
【００５３】
また、複数の使用者で使用する場合等で、使用者の好みにより一方の加熱範囲の温度を主設定温度より低めの温度にしたい場合は、温度選択スイッチ２１２をプッシュ操作することにより、加熱範囲ごとに本体１１０の表面温度を設定温度より約３度低い副設定温度に下げることができる。この機能を使用することにより、第一加熱範囲Ａと第二加熱範囲Ｂとを異なる温度で使用することができる。
【００５４】
温度選択スイッチ２１２を１回プッシュすると、第一加熱範囲Ａが副設定温度に設定され、第一面表示灯２２１が緑色の点灯表示に変化する。この状態においては、第一加熱範囲Ａは主設定温度より３度低い副設定温度となり、第二加熱範囲Ｂは主設定温度に維持される。
【００５５】
次に、温度選択スイッチ２１２をもう１回プッシュすると、第二加熱範囲Ｂが副設定温度に設定され、第一面表示灯２２１は赤色に復帰し、第二面表示灯２２２が緑色の点灯表示に変化する。この状態においては、第一加熱範囲Ａは主設定温度に維持され、第二加熱範囲Ｂは設定温度より３度低い副設定温度となる。
【００５６】
更に、温度選択スイッチ２１２をもう１回プッシュすると、第一加熱範囲Ａと第二加熱範囲Ｂの両方が副設定温度に設定され、第一面表示灯２２１と第二面表示灯２２２の両方が緑色の点灯表示に変化する。この状態においては、第一加熱範囲Ａと第二加熱範囲Ｂの両方が主設定温度より３度低い副設定温度となる。
【００５７】
更に、温度選択スイッチ２１２をもう１回プッシュすると、全ての副設定温度の設定は解除され、第一面表示灯２２１と第二面表示灯２２２の両方が赤色の点灯表示に復帰する。この状態においては、第一加熱範囲Ａと第二加熱範囲Ｂの両方が主設定温度に維持される。
【００５８】
副設定温度の設定は、対応する加熱範囲を設定温度より３度低い温度に設定する機能であり、副設定温度の設定中に温度設定手段２１１を操作して設定温度を変更した場合は、副設定温度に設定された加熱範囲の温度も連動して変化し、新たに設定された主設定温度より３度低い温度に自動的に変更される。
【００５９】
上記操作により設定された副設定温度の設定は制御部２３０の不揮発メモリーに記憶されており、電源スイッチ２１０を「切」にしても、次回の使用時には同じ設定が再現される。
【００６０】
以上が、コントローラ２００の基本的な操作であり、特に、副設定温度が主設定温度より３度低い温度に設定されているのは初期段階の設定であり、通常の使用で一般的に使用されるものである。本実施の形態の電気採暖具１００のコントローラ２００は、副設定温度と主設定温度の温度差を３度以外の温度に変更する特殊な温度設定を行う機能を備えている。すなわち、３度以上または３度以下の温度差で使用したい場合の設定が可能な機能を備えている。以下その具体的な操作方法を説明する。
【００６１】
まず、温度選択スイッチ２１２を３秒間以上連続プッシュ操作すると、第一面表示灯２
２１が高速点滅を開始し、設定モードになったことを表示する。この状態で、温度設定手段２１１を操作して第一加熱範囲Ａの主設定温度と副設定温度との温度差を設定する。具体的な設定方法としては、温度設定手段２１１を目盛「高」にした場合には、温度差は０となり、主設定温度と副設定温度とは同じ温度となる。目盛「中」にした場合には、温度差は５度となり、副設定温度は主設定温度より５度低い温度となる。また、目盛「低」にした場合には、温度差は１０度となり、副設定温度は主設定温度より１０度低い温度となる。すなわち、主設定温度と副設定温度との温度差を０度〜１０度の範囲で連続的に任意に設定することができる。
【００６２】
上記のように、第一加熱範囲Ａの主設定温度と副設定温度との温度差の設定操作を行った後に、温度選択スイッチ２１２を再度プッシュすると、第一面表示灯２２１が緑色の点灯表示に変化し、第二面表示灯２２２が高速点滅を開始する。この時、第一加熱範囲Ａの主設定温度と副設定温度との温度差のデータが制御部２３０の不揮発メモリーに記憶される。
【００６３】
第二面表示灯２２２が高速点滅している状態で、温度設定手段２１１を操作し、上記と同様に第二加熱範囲Ｂの主設定温度と副設定温度との温度差を設定する。第二加熱範囲Ｂの温度差の設定操作を行った後に、温度選択スイッチ２１２を再度プッシュすると、第二面表示灯２２２が緑色の点灯表示に変化する。この時、第二加熱範囲Ｂの主設定温度と副設定温度との温度差のデータが制御部２３０の不揮発メモリー２３１に記憶される。
【００６４】
また、温度選択スイッチ２１２をもう１回プッシュすると、設定モードが解除されて使用状態に復帰し、第一面表示灯２２１と第二面表示灯２２２は赤色の点灯表示に変化する。
【００６５】
上記第一加熱範囲Ａと第二加熱範囲Ｂの温度差の設定は、新たな温度差のデータとして不揮発メモリー２３１に記憶されたものであり、一旦電源スイッチ２１０を切った場合でも、次回の使用時も同じ温度設定が再現される。すなわち、初期段階の設定では、副設定温度は主設定温度より３度低い温度に設定されていたが、上記設定操作を実施することにより、加熱範囲ごとに主設定温度より０度〜１０度低い範囲で任意に設定された状態となる。
【００６６】
上記のように、本実施の形態のおける電気採暖具は、１個の温度設定手段と１個の温度選択手段により、複数の加熱範囲を異なる温度に設定することが可能となり、特にスライド抵抗を使用することで大型になる温度設定手段を１個に限定することでコントローラを小型にすることが可能となるとともに、部材点数を少なくすることにより低コスト化を図ることができる。
【００６７】
また、主設定温度と副設定温度との温度差を、温度設定手段と温度選択手段の操作により変更可能な構成としたことにより、それぞれの加熱範囲を広い範囲の任意の設定温度に設定することが可能となり、使い勝手を向上することができるものである。
【００６８】
また、温度差のデータを記憶させる記憶手段を不揮発メモリーで構成したことにより、電気採暖具の電源を切断しても、記憶させた温度差のデータは消去されることがなく、次回の使用時も同じ温度設定が再現されるため、使い勝手をより向上することができるものである。
【００６９】
なお、本実施の形態においては、電気採暖具の本体を第一加熱範囲と第二加熱範囲の２面の加熱範囲に分割した構成としたが、このような構成に限るものではなく、３面以上の加熱範囲を備えた構成としても良い。この場合、加熱範囲の面数に対応する面表示灯を設
置することにより、本実施の形態と同様の作用効果を得ることができる。
【００７０】
また、本実施の形態における副設定温度は、主設定温度より所定の温度差を備えた温度とし、温度差を不揮発メモリーに記憶させる構成としたが、このような構成に限るものではなく、副設定温度を主設定温度と同様に絶対温度として不揮発メモリーに記憶させる構成としても良い。
【００７１】
この場合の一例としては、副設定温度の設定可能な温度範囲を主設定温度と同様に４５℃〜２５℃の範囲とし、初期段階の設定を３７℃に設定し、上記温度差の設定モードと同様に、温度選択スイッチと温度設定手段の操作により副設定温度を変更可能とする構成が考えられる。副設定温度を絶対温度とした場合は、使用中に温度設定手段を操作して主設定温度を変更した場合は、副設定温度は主設定温度に連動して変化することはなく、常に設定された温度を維持する。
【産業上の利用可能性】
【００７２】
以上のように、本発明にかかる電気採暖具の温度設定方法は、１つの温度設定手段と１つの温度選択スイッチにより、複数の加熱範囲を異なる温度で設定することが可能となるので、複数の加熱要素を備えた他の暖房機器等の用途にも適用できる。
【符号の説明】
【００７３】
１００  電気採暖具
１１０  本体
１２２ａ  第一発熱線（加熱手段）
１２２ｂ  第一温度検知線（温度検知手段）
１２３ａ  第二発熱線（加熱手段）
１２３ｂ  第二温度検知線（温度検知手段）
２１１  温度設定手段
２１２  温度選択スイッチ（温度選択手段）
２１３  面切替スイッチ（面切替手段）
２３０  制御部
２３１  不揮発メモリー（記憶手段）
Ａ  第一加熱範囲（加熱範囲）
Ｂ  第二加熱範囲（加熱範囲）
【図１】
2015215128.tif 000003
【図２】
2015215128.tif 000004
【図３】
2015215128.tif 000005
【図４】
2015215128.tif 000006
【図５】
2015215128.tif 000007